(57)【要約】 【課題】  脱硝装置内に設置されているサンプル触媒収納容器内のサンプル触媒を採取した後、サンプル触媒収納容器を抜き出した後の空間の周面部に残留したセラミックスシート残材を確実に回収する。【解決手段】  脱硝装置１００内に設置されているサンプル触媒収納容器を抜き出した後、周面部に残留したセラミックスシート残材Ａを回収するセラミックスシート残材回収装置１であって、空間Ｓに挿入可能な本体部２と、本体部２の端部に開閉自在に配設され、開状態では空間Ｓの周面部を覆う受け傘３と、本体部２内に移動可能に収納され、軸方向の操作によって受け傘３を開閉させる操作ロッド４と、本体部２の端部に設けられ、操作ロッド４を介して受け傘３が閉じるよう付勢するバネ５と、操作ロッド４に設けられ、受け傘３が開いた状態で操作ロッド４のバネ５による軸方向の動きをロックするはじき６とを備えたことを特徴とする。【選択図】  図２
2015151720.tif 000002
【特許請求の範囲】
【請求項１】
脱硝装置内に設置されているサンプル触媒収納容器を抜き出した後、当該サンプル触媒収納容器外周に配設されていたセラミックスシートで、サンプル触媒収納容器を抜き出した後の空間の周面部に残留したセラミックスシート残材を回収するためのセラミックスシート残材回収装置であって、
前記空間に挿入可能な筒状の本体部と、
前記本体部の端部に開閉自在に配設され、開状態では前記空間の周面部を覆う受け傘と、
前記本体部内に移動可能に収納され、軸方向の操作によって前記受け傘を開閉させる操作ロッドと、
前記本体部の端部に設けられ、前記操作ロッドを介して前記受け傘が閉じるように付勢する付勢手段と、
前記操作ロッドに設けられ、前記受け傘が開いた状態で前記操作ロッドの付勢手段による軸方向の動きをロックする保持手段と、
を備えたことを特徴とするセラミックスシート残材回収装置。
【請求項２】
前記間に挿入可能な棒状で、前記セラミックスシート残材を除去する除去具を備え、
前記受け傘を前記本体部において開状態として、前記除去具によって上方から前記セラミックスシート残材を除去した際に、前記受け傘によって除去された前記セラミックスシート残材を受ける、
ことを特徴とする請求項１に記載のセラミックスシート残材回収装置。
【発明の詳細な説明】
【技術分野】
【０００１】
この発明は、脱硝装置内に設置されているサンプル触媒収納容器内のサンプル触媒を採取した後、当該サンプル触媒収納容器外周に配設されていたセラミックスシートで、サンプル触媒収納容器を抜き出した後の空間の周面部に残留したセラミックスシート残材を回収するためのセラミックスシート残材回収装置に関する。
【背景技術】
【０００２】
例えば、火力発電所や化学プラントには、排出される燃焼ガスに含まれる窒素酸化物を無害化するための脱硝装置が配設されている。脱硝装置は、触媒が劣化すると窒素酸化物の無害化を十分に行うことができなくなってしまう。そこで、触媒の性能を調査するために、脱硝装置には、抜き出し可能なサンプル収納容器に配設されたサンプル触媒が配設されており、調査時は、サンプル収納容器ごとサンプル触媒を抜き出して性能調査が行われる。
【０００３】
サンプル触媒を抜き出した後、当該サンプル触媒収納容器外周に配設されたセラミックスシートが、当該サンプル触媒収納容器が収納されていた枠の内周にセラミックスシート残材として付着している。そして、新しいサンプル触媒を収納したサンプル触媒収納容器を同じ枠に配設するためにはセラミックスシート残材を回収する必要がある。
【０００４】
ところで、落下物を捕集するものとしては、高所作業箇所の真下に吊るすことができる高所作業用落下物捕集ネットに関する技術が提案されている（例えば、特許文献１参照。）。この電気集塵装置は、断面コ字型の把持体の下部から下方に垂下した主柱の下部外周に三本以上のステーをほぼ水平に放射状に設け、主柱の下端を中心として、各ステーの外端を外周縁とするネットを張ったものである。
【先行技術文献】
【特許文献】
【０００５】
【特許文献１】特開２００９−１２１１３３号公報
【発明の概要】
【発明が解決しようとする課題】
【０００６】
しかしながら、セラミックスシート残材の回収時は、セラミックスシート残材が下方に落下してしまうと、脱硝装置の下方に配設されている空気予熱器のエレメントを詰まらせてしまうおそれがある。そのため、セラミックスシート残材は、下方に落下することなく確実に回収する必要がある。
【０００７】
しかしながら、特許文献１に記載された技術では、落下物を捕集することができるものの、狭い空間においてセラミックスシート残材を下方に落下することを確実に防止できるものではなかった。
【０００８】
そこで、この発明は、前記の課題を解決し、脱硝装置内に設置されているサンプル触媒収納容器内のサンプル触媒を採取した後、当該サンプル触媒収納容器外周に配設されていたセラミックスシートで、サンプル触媒収納容器を抜き出した後の空間の周面部に残留したセラミックスシート残材を確実に回収するためのセラミックスシート残材回収装置を提供することを目的としている。
【課題を解決するための手段】
【０００９】
前記の課題を解決するために、請求項１の発明は、脱硝装置内に設置されているサンプル触媒収納容器を抜き出した後、当該サンプル触媒収納容器外周に配設されていたセラミックスシートで、サンプル触媒収納容器を抜き出した後の空間の周面部に残留したセラミックスシート残材を回収するためのセラミックスシート残材回収装置であって、前記空間に挿入可能な筒状の本体部と、前記本体部の端部に開閉自在に配設され、開状態では前記空間の周面部を覆う受け傘と、前記本体部内に移動可能に収納され、軸方向の操作によって前記受け傘を開閉させる操作ロッドと、前記本体部の端部に設けられ、前記操作ロッドを介して前記受け傘が閉じるように付勢する付勢手段と、前記操作ロッドに設けられ、前記受け傘が開いた状態で前記操作ロッドの付勢手段による軸方向の動きをロックする保持手段と、を備えたことを特徴とするセラミックスシート残材回収装置である。
【００１０】
この発明によれば、サンプル触媒収納容器を抜き出した後の空間に本体部が挿入された状態で、操作ロッドを軸方向に操作することによって、受け傘が空間の周面部を覆うように開かれる。
【００１１】
請求項２の発明は、請求項１に記載のセラミックスシート残材回収装置において、前記間に挿入可能な棒状で、前記セラミックスシート残材を除去する除去具を備え、前記受け傘を前記本体部において開状態として、前記除去具によって前記セラミックスシート残材を除去した際に、前記受け傘によって除去された前記セラミックスシート残材を受ける、ことを特徴とする。
【発明の効果】
【００１２】
請求項１に記載の発明によれば、受け傘がサンプル触媒収納容器を抜き出した後の空間の周面部を覆うように開かれるので、セラミックスシート残材を回収する際に、受け傘より下方へのセラミックスシート残材が落下することを防止できる。
【００１３】
また、操作ロッドを軸方向に操作するだけで、受け傘が開閉可能で、開状態では空間の周面部を覆うようになっているので、誰でも簡単に操作することができる。
【００１４】
さらに、保持手段によって、受け傘が開いた状態で操作ロッドの付勢手段による軸方向の動きをロックするので、セラミックスシート残材の回収作業中に不用意に受け傘が閉じてしまし、セラミックスシート残材が落下することを確実に防止できる。
【００１５】
さらにまた、付勢手段は、受け傘が閉じるように付勢しているので、セラミックスシート残材の回収作業終了後は速やかに、セラミックスシート残材回収装置を撤去することができる。
【００１６】
請求項２に記載の発明によれば、受け傘を本体部において開状態として、除去具によってセラミックスシート残材を除去する際に、受け傘によって除去されたセラミックスシート残材を確実に回収可能である。
【図面の簡単な説明】
【００１７】
【図１】この発明の実施の形態に係るセラミックスシート残材回収装置の断面図であって、受け傘を閉じた状態を示す図である。
【図２】図１のセラミックスシート残材回収装置を示す断面図であって、受け傘を開いた状態を示す図である。
【図３】図１のセラミックスシート残材回収装置を示す断面図であって、受け傘を開いた状態を示す図である。
【図４】図１のセラミックスシート残材回収装置を脱硝装置に挿入した状態を示す斜視図である。
【発明を実施するための形態】
【００１８】
以下、この発明を図示の実施の形態に基づいて説明する。
【００１９】
図４は、脱硝装置２００に、セラミックスシート残材回収装置１が挿入された状態を示す斜視図である。脱硝装置２００は、触媒収納容器（図示略）に収容された触媒と、触媒の性能を調査するために抜き出し可能なサンプル収納容器（図示略）に収容されたサンプル触媒とが格子状の枠１００に配設されている。触媒収納容器およびサンプル収納容器の外周には、枠１００との隙間を塞ぐようにセラミックスシートが塗布されている。ここで、脱硝装置２００の調査時に、脱硝装置２００からサンプル収納容器を抜き出すと、サンプル触媒収納容器を抜き出した後の空間Ｓの周面部（枠１００の内周面部）にセラミックスシート残材Ａが付着している。
【００２０】
セラミックスシート残材回収装置１は、脱硝装置２００内に設置されているサンプル触媒収納容器を抜き出した後、当該サンプル触媒収納容器外周に配設されていたセラミックスシートで、サンプル触媒収納容器を抜き出した後の空間Ｓの周面部に残留したセラミックスシート残材Ａを回収するためのものである。セラミックスシート残材回収装置１は、図１および図２に示すように、主として、本体部２と、受け傘３と、操作ロッド４と、付勢手段としてのバネ５と、保持手段としてのはじき６と、除去具７とを備えている。
【００２１】
本体部２は、サンプル触媒収納容器を抜き出した後の空間Ｓに挿入可能な円筒状に形成されており、本体部２内には、後述する操作ロッド４が進退可能に配設されている。本体部２上端側周面部には、後述するはじき６が係止可能な係止孔２１が形成されている。本体部２内周面部には、後述する操作ロッド４のガイド溝（図示略）と係合可能な突起（図示略）が形成されており、本体部２に対して操作ロッド４が進退する際の回動を防止するようになっている。
【００２２】
受け傘３は、本体部２の端部に開閉自在に配設され、開状態では空間Ｓの周面部を覆うようになっているものであり、主として、図３に示すように、親骨３１と、受け骨３２と、だぼ３３と、受け布３４とを備えている。
【００２３】
親骨３１は、受け傘３を四角形状に形成するためのものであり、この実施の形態では、８本の親骨３１が配設されている。親骨３１は、親骨３１が開状態となった際に、先端部３１ａが空間Ｓの周面部を覆うような長さに設定されている。
【００２４】
受け骨３２は、だぼ３３を介して、親骨３１に摺動自在に配設されている。受け骨３２は、後述する操作ロッド４の進退によって開閉するようになっており、だぼ３３を介して、親骨３１が開閉するようになっている。
【００２５】
受け布３４は、略四角形状の布で形成されており、親骨３１に沿って配設されており、図２、図３に示すように、親骨３１が開状態となった際に、空間Ｓの周面部を全周に亘って覆い、全体が弛みなく張った状態となるような形状、大きさに設定されている。また、受け布３４は、図１に示すように、親骨３１が閉状態となった際は、親骨３１間が弛緩した状態となる。
【００２６】
操作ロッド４は、本体部２内に移動可能に収納され軸方向の操作によって受け傘３を開閉させるものであり、具体的には、図１に示すように、操作ロッド４が上方に引き上げられた状態では、受け骨３２と親骨３１とが閉状態、すなわち、受け傘３は閉状態となる。図２に示すように、操作ロッド４が下方に引き下げられた状態では、受け骨３２と親骨３１とが開状態、すなわち、受け傘３は開状態となる。さらに、操作ロッド４外周面部には、本体部２の突起と係合可能なガイド溝（図示略）が形成されており、本体部２に対して操作ロッド４が進退する際の回動を防止するようになっている。
【００２７】
バネ５は、本体部２の端部に設けられ、操作ロッド４を介して受け傘３が閉じるように付勢するものである。
【００２８】
はじき６は、本体部２に設けられ、受け傘３が開いた状態で操作ロッド４のバネ５による軸方向の動きをロックするためのものである。はじき６は、操作ロッド４の上端側外周に、操作ロッド４の外周面部に対して進退可能に配設され、下側に向かって外方から操作ロッド４側に傾斜する傾斜面を有する三角形状の板材である。はじき６が、本体部２の係止孔２１に係止している状態では、操作ロッド４の軸方向の進退が規制されるため、バネ５による軸方向の動きがロックされる。本体部２の係止孔２１に係止しているはじき６が矢印方向に押込まれた状態では、操作ロッド４が軸方向に進退可能となるため、バネ５による軸方向の動きが解除される。
【００２９】
除去具７は、図２に示すように、サンプル触媒収納容器を抜き出した後の空間Ｓに挿入可能で、セラミックスシート残材Ａを除去するものであり、先端部が鉤状に形成された剛性を有する棒体である。具体的は、除去具７は、サンプル触媒収納容器を抜き出した後の空間Ｓの周面部を押圧しながら上下動することにより、鉤部によってセラミックスシート残材Ａを剥離して除去することができる。
【００３０】
次に、このような構成のセラミックスシート残材回収装置１を使用したセラミックスシート残材の回収方法について説明する。
【００３１】
触媒の性能調査のために、脱硝装置２００の枠１００からからサンプル触媒収納容器が抜き出される。このとき、サンプル触媒収納容器を抜き出した後の空間Ｓの周面部、すなわち、枠１００の内周面部にはセラミックスシート残材Ａが付着している。
【００３２】
そして、図１に示すように、空間Ｓに上方からセラミックスシート残材回収装置１が挿入される。このとき、操作ロッド４は引き上げられた状態となっており、受け傘３は閉じた状態となっている。
【００３３】
そして、操作ロッド４が下方に押し込まれて、図２に示すように、操作ロッド４が本体部２に押込まれることにより、受け骨３２と親骨３１とが開状態、すなわち、受け傘３が開状態とされて、図３に示すように、受け布３４が空間Ｓの周面部を全周に亘って覆い、全体が弛みなく張った状態とされる。このとき、はじき６が本体部２の係止孔２１に係止されており、操作ロッド４の軸方向の進退が規制されることによってバネ５による軸方向の動きがロックされる。
【００３４】
そして、空間Ｓに上方から除去具７が挿入されて、空間Ｓの周面部を押圧しながら上下動させることにより、鉤部によってセラミックスシート残材Ａが剥離されて除去される。このとき、空間Ｓの周面部から剥離されたセラミックスシート残材Ａは落下して、受け布３４によって捕集される。
【００３５】
空間Ｓの周面部に付着していたセラミックスシート残材Ａが除去されたことが確認されると、図２に示すように、はじき６が矢印方向に押込まれ、操作ロッド４が軸方向に進退可能となり、バネ５が伸長することにより、受け骨３２と親骨３１とが閉状態、すなわち、受け傘３が閉状態とされて、親骨３１間の受け布３４が弛緩した状態となる。このとき、空間Ｓの周面部から剥離されたセラミックスシート残材Ａは受け布３４の内周面側によって捕集されている。
【００３６】
そして、空間Ｓからセラミックスシート残材回収装置１が引き抜かれる。
【００３７】
その後、同じ空間Ｓ、すなわち、同じ枠１００に新しいサンプル触媒を収納したサンプル触媒収納容器が挿入される。
【００３８】
このように、セラミックスシート残材回収装置１は、サンプル触媒収納容器を抜き出した後の空間Ｓに本体部２が挿入された状態で、操作ロッド４を軸方向に操作することによって、受け傘３が空間Ｓの周面部を覆うように開かれる。このとき、除去具７を、空間Ｓの周面部を押圧しながら上下動することにより、鉤部によってセラミックスシート残材Ａが剥離されて除去される。また、落下したセラミックスシート残材Ａは、受け傘３の受け布３４によって捕集される。
【００３９】
以上のように、このセラミックスシート残材回収装置１によれば、受け傘３がサンプル触媒収納容器を抜き出した後の空間Ｓの周面部を覆うように開かれるので、セラミックスシート残材Ａを回収する際に、受け傘３より下方へのセラミックスシート残材Ａの落下を防止することができる。このため、受け傘３を本体部２において開状態として、除去具７によってセラミックスシート残材Ａを除去する際に、受け傘３によって除去されたセラミックスシート残材Ａを確実に回収可能である。このため、受け傘３を本体部２において開状態として、除去具７によってセラミックスシート残材Ａを除去すると、除去されたセラミックスシート残材Ａを受け傘３によって確実に回収可能である。
【００４０】
また、操作ロッド４を軸方向に操作するだけで、受け傘３が開閉可能で、開状態では空間Ｓの周面部を覆うようになっているので、誰でも簡単に操作することができる。
【００４１】
さらに、はじき６によって、受け傘３が開いた状態で操作ロッド４のバネ５による軸方向の動きをロックするので、セラミックスシート残材Ａの回収作業中に不用意に受け傘３が閉じてしまい、セラミックスシート残材Ａが受け傘３よりに下方に落下することを確実に防止できる。
【００４２】
さらにまた、バネ５は、受け傘３が閉じるように付勢しているので、セラミックスシート残材Ａの回収作業終了後は速やかに、セラミックスシート残材回収装置１を撤去することができる。このとき、閉じた受け傘３によって除去されたセラミックスシート残材Ａを保持したまま、セラミックスシート残材回収装置１を上方に引き上げることができる。
【００４３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、受け傘３の親骨３１を８本とした場合について説明したが、受け傘３を空間Ｓの周面部を覆うように開くことができれば本数や配置は限定されない。
【００４４】
また、本体部２外周面部に除去具７を保持するためのホルダを配設してもよい。
【符号の説明】
【００４５】
１              セラミックスシート残材回収装置
２              本体部
３              受け傘
３１            親骨
３１ａ          先端部
３２            受け骨
３３            だぼ
３４            受け布
４              操作ロッド
５              バネ（付勢手段）
６              はじき（保持手段）
７              除去具
１００          枠
２００          脱硝装置
Ｓ              空間（サンプル触媒収納容器を抜き出した後の空間）
Ａ              セラミックスシート残材
【図１】
2015151720.tif 000003
【図２】
2015151720.tif 000004
【図３】
2015151720.tif 000005
【図４】
2015151720.tif 000006